(57)【特許請求の範囲】
【請求項１】
建物基礎上に設けられ、すべり面を有するすべり受け板と、
建物の下部に設けられ、前記すべり面上を摺動可能に構成されたすべり支承と、
前記建物基礎上に、前記すべり受け板の外周を囲むように設けられると共に、高さを少なくとも前記すべり面よりも高く設定可能かつ該高さを部分的又は全体的に変更可能に構成された枠状部材と、
を有するすべり支承装置の防水構造。
【請求項２】
前記枠状部材は、内圧が付与される中空の弾性体で構成されている請求項１に記載のすべり支承装置の防水構造。
【発明の詳細な説明】
【技術分野】
【０００１】
本発明は、すべり支承装置の防水構造に関する。
【背景技術】
【０００２】
建物基礎の台部上に固定されるベース板に、上面がすべり面とされたすべり受け板を配置する一方、建物の下部に固定された上板の下面に、弾性変形可能な積層ゴム体及び該積層ゴム体の下面に固定されたすべり部材からなるすべり支承を、すべり受け板のすべり面に接触させておくことで、建物基礎と建物の下部との水平方向の相対移動が許容されるようにしたすべり支承装置が開示されている（特許文献１及び特許文献２参照）。
【先行技術文献】
【特許文献】
【０００３】
【特許文献１】特開２００５−３３７２８３号公報
【特許文献２】特開２００６−９４９６号公報
【発明の概要】
【発明が解決しようとする課題】
【０００４】
上記した従来例のようなすべり支承装置は、建物側に固定されるすべり支承と、建物基礎側に固定されるすべり受け板との間の摩擦により、地震のエネルギーを減衰させる免震装置である。従って、すべり受け板のすべり面に水や異物が付着すると、所定の性能が発揮されない。このため、上記した従来例では、すべり面への水や異物の付着を防止するために、すべり支承やすべり受け板をカバーで覆っている。
【０００５】
しかしながら、すべり支承装置に対しては、施工後の定期点検時に、すべり受け板の状態を確認したり、ゴム積層体の高さを測定したりする必要があり、すべり支承やすべり受け板がカバーで覆われていたのでは、点検作業の妨げとなる。
【０００６】
本発明は、上記事実を考慮して、すべり受け板のすべり面に水が付着することを抑制しつつ、すべり支承装置の点検作業を容易に行うことができるようにすることを目的とする。
【課題を解決するための手段】
【０００７】
請求項１の発明は、建物基礎上に設けられ、すべり面を有するすべり受け板と、建物の下部に設けられ、前記すべり面上を摺動可能に構成されたすべり支承と、前記建物基礎上に、前記すべり受け板の外周を囲むように設けられると共に、高さを少なくとも前記すべり面よりも高く設定可能かつ該高さを部分的又は全体的に変更可能に構成された枠状部材と、を有している。
【０００８】
請求項１に記載のすべり支承装置の防水構造では、すべり受け板の外周が枠状部材により囲まれ、該枠状部材の高さを少なくともすべり受け板のすべり面よりも高く設定可能であるので、降水時にすべり受け板が浸水することを抑制し、該すべり受け板のすべり面への水や異物の付着を抑制することができる。また枠状部材の高さは、部分的又は全体的に変更可能となっているので、すべり支承装置の点検作業時には、枠状部材の高さを適宜変更することで、当該点検作業を容易に行うことができる。
【０００９】
請求項２の発明は、請求項１に記載のすべり支承装置の防水構造において、前記枠状部材は、内圧が付与される中空の弾性体で構成されている。
【００１０】
請求項２に記載のすべり支承装置の防水構造では、中空の弾性体に付与する内圧を高めることで枠状部材の高さを増加させることができ、該内圧を低めることで枠状部材の高さを減少させることができる。また中空の弾性体は、内圧を維持したまま部分的に変形可能であるので、枠状部材の高さを部分的に変更することができる。このため、すべり支承装置の点検作業時に枠状部材の高さを容易に変更することができる。
【発明の効果】
【００１１】
以上説明したように、本発明に係る請求項１に記載のすべり支承装置の防水構造によれば、すべり受け板のすべり面に水が付着することを抑制しつつ、すべり支承装置の点検作業を容易に行うことができる、という優れた効果が得られる。
【００１２】
請求項２に記載のすべり支承装置の防水構造によれば、すべり支承装置の点検作業時に枠状部材の高さを容易に変更することができる、という優れた効果が得られる。
【図面の簡単な説明】
【００１３】
【図１】すべり支承装置の防水構造において、起立した枠状部材により浸水を抑制している状態を示す断面図である。
【図２】すべり支承装置の防水構造において、枠状部材が起立した状態を示す斜視図である。
【図３】すべり支承装置の防水構造において、枠状部材の高さが減少した状態を示す断面図である。
【図４】すべり支承装置の防水構造において、枠状部材の高さが減少した状態を示す斜視図である。
【発明を実施するための形態】
【００１４】
以下、本発明を実施するための形態を図面に基づき説明する。図１において、本実施形態に係るすべり支承装置の防水構造Ｓは、すべり受け板１０と、すべり支承１２と、枠状部材１４とを有している。これらのうち、すべり受け板１０及びすべり支承１２は、支承装置１６を構成している。
【００１５】
図１，図２に示されるように、すべり受け板１０は、建物基礎１８上に設けられ、すべり面１０Ａを有している。具体的には、建物基礎１８上には台座部２０が設けられ、該台座部２０上にベース板２２が固定されている。すべり受け板１０は、該ベース板２２上に、すべり面１０Ａが上面側となるように固定されている。台座部２０、ベース板２２及びすべり受け板１０は、平面視で夫々例えば略四角形に形成されている。すべり面１０Ａは、すべり受け板１０の中央部に、例えば略円形に形成されている。
【００１６】
すべり支承１２は、建物２４の下部に設けられ、すべり面１０Ａ上を摺動可能に構成されている。建物２４の下部には取付け凸部２６が設けられており、該取付け凸部２６の下面に上板２８が固定されている。すべり支承１２は、該上板２８の下面に固定されている。すべり支承１２の下面にはすべり板３０が固定されている。このすべり板３０は、すべり受け板１０のすべり面１０Ａに接触している。なお、上板２８とすべり面１０Ａとの摩擦が小さくなるようにするために、該上板２８の下面に対して、例えばフッ素樹脂加工等の処理を施すことが望ましい。
【００１７】
すべり受け板１０の大きさ及びすべり面１０Ａの範囲は、地震発生時におけるすべり支承１２の相対移動量を考慮して設定される。これに伴い、すべり面１０Ａは、上板２８よりも平面視にて大きく形成されており、すべり支承１２がすべるための十分な面積が確保されている。
【００１８】
図示は省略するが、すべり支承１２は、厚み方向に所定の間隙をあけて積層された複数の内部鋼鈑と、これらの間に配置されたゴム板と、該内部鋼板及びゴム板の周囲を覆って保護する被覆ゴムとで、柱状に構成されている。なお、すべり支承１２の構造はこれに限られるものではなく、例えば内部鋼板を有しない構造であってもよい。
【００１９】
枠状部材１４は、建物基礎１８上に、すべり受け板１０の外周を囲むように設けられると共に、高さを少なくとも前記すべり面よりも高く設定可能かつ該高さを部分的又は全体的に変更可能に構成されている。具体的には、枠状部材１４は、例えば台座部２０上に、すべり受け板１０及びベース板２２の四方を囲むように固定されている。枠状部材１４の外側から内側への水の浸入を防ぐために、枠状部材１４は、例えば全周に渡って台座部２０上に密着している。
【００２０】
枠状部材１４は、内圧が付与される中空の弾性体、例えば断面略四角形の環状のゴムチューブで構成されている。この枠状部材１４に内圧を付与するためには、空気等の流体を封入してもよいし、また枠状部材１４に流体の出入り口、例えばバルブ（図示せず）を設けて、該バルブを介して空気等の流体を供給するようにしてもよい。枠状部材１４に流体の出入り口を設けた場合には、出入り口から流体を抜くことで枠状部材１４の内圧を減少させることも可能となる。
【００２１】
図１，図２に示されるように、枠状部材１４は、通常時には、すべり受け板１０のすべり面１０Ａよりも高い位置まで起立している。枠状部材１４が中空の弾性体であって伸縮性を有する場合、付与する内圧によって枠状部材１４の高さを調節可能である。枠状部材１４が弾性体でなく伸張性を有しない場合には、該枠状部材１４を構成する基材の大きさ（膨張時の断面形状）で高さが定まる。
【００２２】
なお、建物２４としては、本実施形態のすべり支承装置１６を介して支持される構造物であればよく、例えば、オフィスビル、病院、集合住宅、美術館、公会堂、学校、庁舎、神社仏閣、橋梁、競技場、照明灯等を挙げることができる。また、建物基礎１８としては、本実施形態のすべり支承装置１６を介して上記の建物２４を支持するものであればよく、建物の土台、地盤等、及びこれらの上に設けられる各種部材をも含む。
【００２３】
（作用）
本実施形態は、上記のように構成されており、以下その作用について説明する。図１において、本実施形態に係るすべり支承装置１６では、すべり板３０とすべり支承１２とのすべりによって、建物基礎１８と建物２４との水平方向（矢印Ａ方向）の相対移動が許容されている。地震発生時には、建物２４の水平運動に伴うすべり支承１２とすべり受け板１０との間の摩擦と、該すべり支承１２のせん断変形とにより、地震のエネルギーを減衰させることができる。
【００２４】
また本実施形態に係るすべり支承装置の防水構造Ｓでは、すべり受け板１０の外周が、枠状部材１４により囲まれているので、図１に示されるように、降水時に枠状部材１４の周囲に水３２がたまっても、該枠状部材１４が堰となり、すべり受け板１０が浸水することが抑制される。このため、すべり受け板１０のすべり面１０Ａへの水や異物の付着を抑制することができる。
【００２５】
次に、すべり支承装置１６の点検作業時には、枠状部材１４に作業者（図示せず）の体重が作用することで、図２の二点鎖線で示されるように、該枠状部材１４の内圧を維持したまま、該枠状部材１４を部分的に変形させ、局所的に高さが低い凹部１４Ａを形成することができる。また枠状部材１４に流体の出入り口（図示せず）を設けた場合には、図３，図４に示されるように、枠状部材１４の内圧を低めることで、枠状部材１４の高さを全体的に減少させることが可能である。
【００２６】
このように、本実施形態に係るすべり支承装置の防水構造Ｓでは、枠状部材１４の高さを容易に変更することができるので、通常時にすべり受け板１０のすべり面１０Ａに水が付着することを抑制しつつ、すべり受け板１０の状態の確認やすべり支承１２の高さの測定といった、すべり支承装置１６の点検作業を容易に行うことができる。またこれによって、すべり支承装置１６の免震性能を長期にわたって維持することができる。
【００２７】
（他の実施形態）
枠状部材１４を、断面略四角形のゴムチューブとしたが、断面形状はその他の多角形や円形、半円形等であってもよく、またゴムと比較して伸張性の少ない材質で構成されたチューブであってもよい。また枠状部材１４を環状のものとしたが、該枠状部材１４の内部を複数のチャンバに区画し、各々のチャンバに内圧を付与しておくと、仮に一部のチャンバの内圧が減少した場合でも、他のチャンバの内圧によって枠状部材１４の高さの減少を抑制することができる。
【００２８】
更に枠状部材１４を、内圧が付与される中空の弾性体で構成されるものとしたが、これに限られず、すべり受け板１０の浸水を抑制することができ、かつ高さを部分的又は全体的に変更可能なものであれば、どのような部材であってもよい。
【符号の説明】
【００２９】
１０    すべり受け板
１０Ａ  すべり面
１２    すべり支承
１４    枠状部材
１８    建物基礎
２４    建物
Ｓ      すべり支承装置の防水構造
【図１】
0005657430.tif 000002
【図２】
0005657430.tif 000003
【図３】
0005657430.tif 000004
【図４】
0005657430.tif 000005